(57)【要約】      （修正有）【課題】法面等の傾斜地に太陽電池パネルを安定して設置することができる太陽電池パネルの設置構造を提供する。【解決手段】傾斜地に形成される複数の基礎２と、基礎上に設置される架台３とを備え、架台上に太陽電池パネル４を配設してなる太陽電池パネルの設置構造であって、架台は、各基礎の上部に固定され鉛直方向に立設される複数の支柱部材３１、各支柱部材の上部に固定され傾斜地の傾斜方向に直交する方向に横架される複数の横架部材３２、各横架部材の上部に固定され傾斜地の傾斜方向に架設される複数の架設部材３３、傾斜地の傾斜方向に隣接して立設される支柱部材間であって傾斜方向の下側に位置する支柱部材の上部と傾斜方向の上側に位置する支柱部材の下部を連結する連結部材３４、を有することを特徴する。【選択図】図３
0003185440.tif 000002
【実用新案登録請求の範囲】
【請求項１】
傾斜地に形成される複数の基礎と、前記基礎上に設置される架台とを備え、前記架台上に太陽電池パネルを配設してなる太陽電池パネルの設置構造であって、
前記架台は、前記各基礎の上部に固定され鉛直方向に立設される複数の支柱部材、前記各支柱部材の上部に固定され前記傾斜地の傾斜方向に直交する方向に横架される複数の横架部材、前記各横架部材の上部に固定され前記傾斜地の傾斜方向に架設される複数の架設部材、前記傾斜地の前記傾斜方向に隣接して立設される支柱部材間であって前記傾斜方向の下側に位置する支柱部材の上部と前記傾斜方向の上側に位置する支柱部材の下部を連結する連結部材、を有することを特徴する太陽電池パネルの設置構造。
【請求項２】
前記基礎は、地中に形成され内部に芯棒を有するセメントミルク製又はモルタル製の杭部、地表面に形成され前記架台の支柱部材が固定されるコンクリート製の土台部を有し、前記土台部が、前記杭部から上方へ延びる芯棒及び該芯棒を内部に有し前記杭部から連続するセメントミルク又はモルタルを内包することで前記杭部と一体とされており、
前記コンクリート製の土台部に固定される前記支柱部材は中空部材であって、前記支柱部材が、前記杭部から前記土台部を通して上方へ延びる芯棒及び該芯棒を埋設した状態で前記杭部から前記土台部を通して連続するセメントミルク又はモルタルを中空内部に有することで前記基礎と一体とされる請求項１記載の太陽電池パネルの設置構造。
【請求項３】
前記土台部は、前記杭部から連続するセメントミルク又はモルタルを内部に有する管状部材を介して前記セメントミルク又はモルタルを内包する請求項２記載の太陽電池パネルの設置構造。
【考案の詳細な説明】
【技術分野】
【０００１】
本考案は、法面等の傾斜地における太陽電池パネルの設置構造に関する。
【背景技術】
【０００２】
従来、法面等の傾斜地に太陽電池パネルを設置することが行われている（特許文献１，２参照。）
【０００３】
特許文献１には、斜面に敷設したコンクリートマットに太陽電池パネルを支持する支柱を埋設することで、多数の太陽電池パネルを平面的に並べて配置する太陽電池パネルの設置構造が記載されている。
【０００４】
上記特許文献１に記載された設置構造は、コンクリートマットを敷設する必要があるため、工事全体が大掛かりなものとなる問題がある。
【０００５】
特許文献２には、斜面に杭を打設して基礎部を設け、該基礎部上に架台を設置し、該架台上に太陽光パネルを設置する太陽光パネルの設置構造が記載されている。
【０００６】
上記特許文献２に記載された設置構造は、太陽光パネルを安定して設置するために強度を向上させる必要があり、そのために杭打機により杭を地中深く打ち込む必要がある。しかしながら、地中の比較的浅い部分に岩盤や大きな岩がある場合には前記杭を地中深く打ち込むことができない問題がある。
【先行技術文献】
【特許文献】
【０００７】
【特許文献１】特開平８−２６９９７２号公報
【特許文献２】特開２０１３−８９６５８号公報
【考案の概要】
【考案が解決しようとする課題】
【０００８】
そこで、本考案は、法面等の傾斜地に太陽電池パネルを安定して設置することができる太陽電池パネルの設置構造を提供することを目的とする。
【課題を解決するための手段】
【０００９】
上記目的を達成するため、本考案は、
傾斜地に形成される複数の基礎と、前記基礎上に設置される架台とを備え、前記架台上に太陽電池パネルを配設してなる太陽電池パネルの設置構造であって、
前記架台は、前記各基礎の上部に固定され鉛直方向に立設される複数の支柱部材、前記各支柱部材の上部に固定され前記傾斜地の傾斜方向に直交する方向に横架される複数の横架部材、前記各横架部材の上部に固定され前記傾斜地の傾斜方向に架設される複数の架設部材、前記傾斜地の前記傾斜方向に隣接して立設される支柱部材間であって前記傾斜方向の下側に位置する支柱部材の上部と前記傾斜方向の上側に位置する支柱部材の下部を連結する連結部材、を有することを特徴する。
【００１０】
本考案の太陽電池パネルの設置構造は、
前記基礎が、地中に形成され内部に芯棒を有するセメントミルク製又はモルタル製の杭部、地表面に形成され前記架台の支柱部材が固定されるコンクリート製の土台部を有し、前記土台部が、前記杭部から上方へ延びる芯棒及び該芯棒を内部に有し前記杭部から連続するセメントミルク又はモルタルを内包することで前記杭部と一体とされており、
前記コンクリート製の土台部に固定される前記支柱部材が中空部材であって、前記支柱部材が、前記杭部から前記土台部を通して上方へ延びる芯棒及び該芯棒を埋設した状態で前記杭部から前記土台部を通して連続するセメントミルク又はモルタルを中空内部に有することで前記基礎と一体とされることが好ましい。
【００１１】
本考案の太陽電池パネルの設置構造は、
前記土台部が、前記杭部から連続するセメントミルク又はモルタルを内部に有する管状部材を介して前記セメントミルク又はモルタルを内包することが好ましい。
【００１２】
本考案における、傾斜地に形成される複数の基礎と、前記基礎上に設置される架台とを備え、前記架台上に太陽電池パネルを配設してなる太陽電池パネルの設置構造は、
傾斜地に水平な底部を有する凹部を形成する工程と、
前記凹部の底部に孔を掘削する工程と、
前記孔に芯棒を挿入するとともにセメントミルク又はモルタルを注入し固化する工程と、
前記孔から上方へ延びる前記芯棒を貫通させて前記凹部に管状部材を配設した後に、該管状部材内部にセメントミルク又はモルタルを注入し固化する工程と、
前記凹部内であって前記管状部材外部にコンクリート打ちを行う工程と、
前記コンクリートが固化した後に、前記孔から前記管状部材を介して上方へ延びる前記芯棒を内部に収容して前記コンクリート上に中空の支柱部材を固定する工程と、
前記支柱部材内部にセメントミルク又はモルタルを注入し、前記芯棒を埋設した状態で前記セメントミルク又はモルタルを固化する工程と、
を含む方法により施工することができる。
【考案の効果】
【００１３】
本考案の太陽電池パネルの設置構造によれば、架台が支柱部材と架設部材と連結部材とで三角形を構成することとなり、傾斜方向に作用する力に対し前記架台の強度が向上するため、太陽電池パネルを安定して設置することができる。
【００１４】
また、本考案の太陽電池パネルの設置構造は、基礎の杭部と土台部が内部に芯棒を有するセメントミルク又はモルタルで一体とされ、さらに前記土台部に固定される架台の支柱部材と前記基礎の杭部及び土台部が内部に芯棒を有するセメントミルク又はモルタルで一体とされている。
したがって、本考案の太陽電池パネルの設置構造によれば、積雪、強風及び地震等の負荷に対し太陽電池パネルを安定して設置することができる。
【００１５】
さらに、本考案の太陽電池パネルの設置構造は、削岩機により深い孔を掘削することで、例えば表土の厚み以上に地中深く前記杭部を形成することができる。
したがって、本考案の太陽電池パネルの設置構造によれば、傾斜地の表層崩壊に対しても太陽電池パネルを安定して設置することができる。
【００１６】
なお、上記施工方法によれば、本考案の太陽電池パネルの設置構造は、法面等の傾斜地に対し容易に施工できる。
【図面の簡単な説明】
【００１７】
【図１】本考案における太陽電池パネルの設置構造の架台部分の側面図。
【図２】本考案における太陽電池パネルの設置構造の平面図。
【図３】本考案における太陽電池パネルの設置構造の全体説明図。
【図４】本考案における太陽電池パネルの設置構造の部分説明図。
【考案を実施するための形態】
【００１８】
本考案の実施の形態を図面に基づいて説明する。
図１は本考案における太陽電池パネルの設置構造の架台部分の側面図を示す。図２は本考案における太陽電池パネルの設置構造の平面図を示す。
本考案の太陽電池パネルの設置構造は、法面Ｓに形成される複数の基礎２と、該基礎２上に設置される架台３を備え、前記架台３上に複数の太陽電池パネル４を配設したものである。
【００１９】
前記基礎２は、法面の傾斜方向及び該傾斜方向に直交する方向にそれぞれ複数が形成される。
【００２０】
前記架台３は、前記各基礎２の上部に固定され鉛直方向に立設される角形鋼管等の中空部材からなる複数の支柱部材３１と、前記各支柱部材３１の上部に固定され前記法面Ｓの傾斜方向に直交する方向に横架されるＨ型鋼等からなる複数の横架部材３２と、前記各横架部材３２の上部に固定され前記法面Ｓの傾斜方向に架設されるＣ型鋼等からなる複数の架設部材３３を有する。
【００２１】
また、前記架台３は、前記法面Ｓの傾斜方向に隣接して立設される支柱部材３１，３１間であって前記傾斜方向の下側に位置する支柱部材３１の上部と前記傾斜方向の上側に位置する支柱部材の下部を連結する金属製の連結部材３４を有する。
【００２２】
前記太陽電池パネル４は、図２に示すように前記架設部材３３上に配置して固定される。
【００２３】
図３は本考案における太陽電池パネルの設置構造の全体説明図であって一部断面図を示す。図４は本考案における太陽電池パネルの設置構造の部分説明図であって、図３の一部拡大断面図を示す。
前記基礎２は、地中に形成され内部に鉄製の芯棒２６を有するセメントミルク２７製の杭部２２と、法面Ｓの地表面に形成され前記架台３の支柱部材３１が固定されるコンクリート２５製の土台部２１を有する。
【００２４】
前記杭部２２は、地中深く掘削された孔２８に前記芯棒２６を挿入するとともにセメントミルク２７を注入し、前記芯棒２６を内部に有する状態で前記セメントミルク２７を固化することで形成される。
【００２５】
前記土台部２１は、略水平な底面を有する凹部２３にスパイラル管２４を配設し、該スパイラル管の周囲にコンクリート２５打ちを行うことで形成される。
前記スパイラル管２４の内部には、前記杭部２２から上方へ延びる前記芯棒２６が挿通されるとともに、前記杭部２２から連続する状態でセメントミルク２７が注入固化されており、これにより前記土台部２１と前記杭部２２が一体化されている。
【００２６】
前記架台３の支柱部材３１は、前記土台部２１のコンクリート２５上に例えばケミカルアンカーによって固定される。
前記支柱部材３１の中空内部には、前記杭部２２から前記土台部２１の前記スパイラル管２４を通して上方へ延びる前記芯棒２６が挿入されるとともに、前記杭部２２から前記スパイラル管２４を通して連続する状態でセメントミルク２７が注入固化されており、これにより前記支柱部材３１と前記基礎２の杭部２２及び土台部２１が一体化されている。
【００２７】
次に、本考案の太陽電池パネルの設置構造の施工方法について説明する。
（１）まず、法面Ｓの地表面に略水平な底面を有する凹部２３を形成する。
（２）次に、前記凹部２３の底部に削岩機を用いて孔２８を掘削する。ここで、前記孔２８の深さは、表土の厚み以上とすることが好ましく、例えば４ｍ程度の孔を掘削することが好ましい。
（３）その後、掘削した前記孔２８に鉄製の芯棒２６を挿入するとともにセメントミルク２７を注入し、内部に前記芯棒を有する状態で前記セメントミルク２７を固化させて杭部２２を形成する。このとき、前記芯棒２６は、地上に延びる長さのものを使用する。
【００２８】
（４）次に、前記杭部２２から上方へ延びる芯棒２６を内部に挿通させた状態で、前記凹部２３の底面上に所定高さを有するスパイラル管２４を配設した後、該スパイラル管２４の内部にセメントミルク２７を注入し固化させる。
（５）そして、前記スパイラル管２４の外部であって前記凹部２３にコンクリート２５打ちを行い、前記スパイラル管２４を内包する状態で土台部２１を形成する。
上記（１）〜（５）の工程により、杭部２２と土台部２１が内部に芯棒を有するセメントミルクで一体化されてなる基礎２を形成する。
【００２９】
（６）次に、前記スパイラル管２４から上方へ延びる芯棒２６を内部に挿入した状態で、前記コンクリート２５上に前記架台３の前記支柱部材３１を配置してケミカルアンカー等により固定する。
（７）そして、前記支柱部材３１の中空内部にセメントミルク２７を注入し、前記芯棒２６を埋設した状態で前記セメントミルク２７を固化させる。
上記（６）、（７）の工程により、前記架台３の支柱部材３１と前記基礎２の杭部２２及び土台部２１を内部に芯棒を有するセメントミルクで一体化する。
【００３０】
なお、上記本考案の実施の形態では、強度的に強いスパイラル管２４を土台部２１に内包することとしたが、それ以外の管状部材を用いることもできる。
【００３１】
また、上記本考案の実施の形態において、セメントミルクは膨張性のセメントミルクを用いることができる。膨張性のセメントミルクを用いれば、当該セメントミルクと孔２８、スパイラル管２４及び支柱部材３１の各内面との接触圧が高まるため、太陽電池パネルの設置構造の安定性を高めることができる。
【００３２】
さらに、上記本考案の実施の形態において、セメントミルク２７に代えてモルタルを用いることもできる。上記本考案の実施の形態においてモルタルを用いた場合でも、杭部２２を形成し、土台部２１と前記杭部２２を一体化し、架台３の支柱部材３１と基礎２の前記杭部２２及び前記土台部２１を一体化することができる。
【００３３】
本考案の実施の形態における太陽電池パネルの設置構造によれば、架台３が支柱部材３１と架設部材３３と連結部材３４とで三角形を構成することとなり、傾斜方向に作用する力に対し前記架台の強度が向上するため、太陽電池パネルを安定して設置することができる。
【００３４】
また、本考案の実施の形態における太陽電池パネルの設置構造は、基礎２の杭部２２と土台部２１が内部に芯棒２６を有するセメントミルク２７で一体とされ、さらに前記土台部２１に固定される架台３の支柱部材３１と前記基礎２の杭部２２及び土台部２１が内部に芯棒２６を有するセメントミルク２７で一体とされている。
したがって、本考案の実施の形態における太陽電池パネルの設置構造によれば、積雪、強風及び地震等の負荷に対し太陽電池パネルを安定して設置することができる。
【００３５】
さらに、本考案の実施の形態における太陽電池パネルの設置構造は、削岩機により深い孔を掘削することで、例えば表土の厚み以上に地中深く前記杭部を形成することができる。
したがって、本考案の実施の形態における太陽電池パネルの設置構造によれば、傾斜地の表層崩壊に対しても太陽電池パネルを安定して設置することができる。
【００３６】
本考案は、上記実施の形態に限るものでなく、考案の範囲を逸脱しない限りにおいてその構成を適宜変更できることはいうまでもない。
【産業上の利用可能性】
【００３７】
本考案の太陽電池パネルの設置構造は、法面等の傾斜地に太陽電池パネルを安定して設置することができるため、実用性に優れる。
【符号の説明】
【００３８】
１      太陽電池パネルの設置構造
２      基礎
２１      土台部
２２      杭部
２３      凹部
２４      スパイラル管
２５      コンクリート
２６      芯棒
２７      セメントミルク
２８      孔
３      架台
３１      支柱部材
３２      横架部材
３３      架設部材
３４      連結部材
４      太陽電池パネル
【図１】
0003185440.tif 000003
【図２】
0003185440.tif 000004
【図３】
0003185440.tif 000005
【図４】
0003185440.tif 000006